【手続補正書】
【提出日】平成20年7月2日(2008.7.2)
【手続補正１】
【補正対象書類名】特許請求の範囲
【補正対象項目名】全文
【補正方法】変更
【補正の内容】
【特許請求の範囲】
【請求項１】
判定帰還型の等化器（ＤＦＥ）における標準判定指示モードとソフト判定指示モードの一方を自動的に選択してデータ信号を受信する装置であって、
ＤＦＥ出力信号を供給する出力と、前記標準判定指示モードを選択するための第１の値を呈し、或いは、前記ソフト判定指示モードを選択するための第２の値を呈する第１の制御信号に応答してデータを受信するための制御入力とを有する等化器を含み、
前記等化器が、
等化器コンバージェンスを示すロック信号を供給するための出力を有するロック検出器と、
前記ロック検出器の前記出力に結合された入力と、前記ロック信号の特性に依存する前記第１と第２の値の一方を呈する前記第１の制御信号に応答して前記データを供給するための前記制御入力に結合された第１の出力とを有するモード・セレクタと
を含むことを特徴とする装置。
【請求項２】
前記モード・セレクタが、プロセッサを含み、
前記プロセッサが、
前記モード・セレクタの前記入力に結合されており、所定の期間中に、前記第１と第２の値の間に於ける前記ロック信号の遷移数を計数するための入力と、
前記遷移数を所定の閾値計数値と比較する比較器と、
前記モード・セレクタの前記第１の出力に結合されており、前記遷移数が前記閾値計数値より小さいとき、前記第１の値を呈し、前記遷移数が前記閾値計数値より小さくないとき、前記第２の値を呈する前記第１の制御信号を供給する比較器出力と、
を有することを特徴とする請求項１記載の装置。
【請求項３】
前記モード・セレクタが、前記ロック信号の特性に応じて、前記ＤＦＥ出力信号を選択的に、
（ａ）前記標準判定指示モードまたは前記ソフト判定指示モードの一方と、
（ｂ）ブラインド・モードと、
の一方にするための第２の出力を有する、請求項１記載の装置。
【請求項４】
前記モード・セレクタの前記第２の出力が、前記ロック信号がコンバージェンスを示さないとき、前記ＤＦＥ出力信号を選択的に前記ブラインド・モードにし、
また、前記モード・セレクタの前記第２の出力は、前記ロック信号がコンバージェンスと不安定なコンバージェンスの一方を示すとき、前記ＤＦＥ出力信号を選択的に前記標準判定指示モードと前記ソフト判定指示モードの一方にし、この際、何れかの判定指示モードを選択する決定が、前記モード・セレクタの前記第１の出力の前記第１の信号により制御される
ことを特徴とする請求項３記載の装置。
【請求項５】
前記モード・セレクタが、前記ロック信号の特性に応じて、前記ＤＦＥ出力信号を選択的に、
（ａ）前記標準判定指示モードまたは前記ソフト判定指示モードの一方と、
（ｂ）トレーニング・モードと、
の一方にするための第２の出力を有する
ことを特徴とする請求項１記載の装置。
【請求項６】
前記モード・セレクタの前記第２の出力が、前記ロック信号がコンバージェンスを示さないとき、前記ＤＦＥ出力信号を選択的に前記トレーニング・モードにし、
また、前記モード・セレクタの前記第２の出力は、前記ロック信号がコンバージェンスと不安定なコンバージェンスの一方を示すとき、前記ＤＦＥ出力信号を選択的に前記標準判定指示モードと前記ソフト判定指示モードの一方にし、この際、何れかの判定指示モードを選択する決定が、前記モード・セレクタの前記第１の出力の前記第１の信号により制御される
ことを特徴とする請求項５記載の装置。
【請求項７】
前記所定の期間が、前記データ信号の所定数のシンボル周期分の期間に相当する
ことを特徴とする請求項２記載の装置。
【請求項８】
前記所定の期間と前記所定の閾値計数値が、プログラム可能な変数である
ことを特徴とする請求項７記載の装置。
【請求項９】
前記プロセッサが、
前記ロック信号の遅延されたものを出力する第１のＤ型フリップフロップを含む遷移検出器と、
前記ロック信号と前記遅延されたものとが供給され、前記所定の計数期間の間の前記遷移数の計数値を呈する遷移表示信号を供給する排他的論理和ゲートと、
前記遷移数の計数値を前記閾値計数値と比較して、前記第１の制御信号を供給する前記比較器と、
を含む
ことを特徴とする請求項８記載の装置。
【請求項１０】
前記比較器出力が、状態機械を介して、前記モード・セレクタの前記第１の出力に結合されており、
前記データ信号の所定数のシンボル周期分の期間の間、前記第１の制御信号の前記第１の値の発生の回数を計数して、第２の制御信号を供給する装置を含み、
（ａ）前記等化器が、第１のモードに在り、且つ、前記第１の信号の前記第１の値の前記発生回数が、所定の閾値計数値より小さくない場合、前記第２の信号が前記第１の値を呈し、
（ｂ）前記等化器が、第２のモードに在り、且つ、前記第１の信号の前記第１の値の前記発生回数が、前記所定の閾値計数値より小さい場合、前記第２の信号が前記第２の値を呈する
ことを特徴とする請求項６記載の装置。
【請求項１１】
前記所定数のシンボル周期分と前記所定の閾値計数値が、プログラム可能な変数であることを特徴とする請求項１０記載の装置。
【請求項１２】
判定帰還型の等化器（ＤＦＥ）に於いて、標準自動切換えモードとソフト自動切換えモードの一方を自動的に選択してデータ信号を受信する装置であって、
前記等化器には、等化器コンバージェンスを示すロック信号を供給するロック検出器が含まれており、前記選択が前記ロック信号の遷移のレートのモニタリングに基づくことを特徴とする前記装置。
【請求項１３】
前記選択は、前記遷移の前記レートが既定のレートより小さいか、或いは、それより小さくないかに基づくことを特徴とする請求項１２記載の装置。
【請求項１４】
前記遷移の前記レートが前記既定のレートより小さいとき、前記標準自動切換えモードが選択され、
前記遷移の前記レートが前記既定のレートより小さくないとき、前記ソフト自動切換えモードが選択されることを特徴とする請求項１３記載の装置。
【請求項１５】
前記既定のレートが、ウィンドウ期間内の前記遷移の閾値計数値として定義されることを特徴とする請求項１３記載の装置。
【請求項１６】
前記ウィンドウ期間が、前記データ信号のシンボル計数値に換算して定義されることを特徴とする請求項１５記載の装置。
【請求項１７】
前記ウィンドウ期間と前記閾値計数値が、プログラム可能な変数であることを特徴とする請求項１６記載の装置。
【請求項１８】
前記選択が、現在どのモードが選択されているかについての判断と、所定の閾値発生レートと比較される、前記標準自動切換えモードの設定用のロック信号発生レートとに基づくことを特徴とする請求項１２記載の装置。
【請求項１９】
前記標準判定指示モードが現在選択されており、且つ、前記標準自動切換えモード設定用の前記ロック信号発生レートが前記所定の閾値発生レートより小さいとき、前記ソフト自動切換えモードが選択され、
前記標準自動切換えモードが現在選択されており、且つ、前記ロック信号発生レートが前記所定の閾値発生レートより小さくないとき、前記標準自動切換えモードが選択されたままであり、
前記ソフト自動切換えモードが現在選択されており、且つ、前記標準自動切換えモード設定用の前記ロック信号発生レートが前記所定の閾値発生レートより小さくないとき、前記標準自動切換えモードが選択され、
前記ソフト自動切換えモードが現在選択されており、且つ、前記ロック信号発生レートが前記所定の閾値発生レートより小さいとき、前記ソフト自動切換えモードが選択されたままであることを特徴とする請求項１８記載の装置。
【請求項２０】
前記所定の閾値発生レートが、前記データ信号のシンボル計数値Ｗの所定数Ｎ個分の期間内に於ける前記ロック信号の発生の閾値数に換算して定義されることを特徴とする請求項１８記載の装置。
【請求項２１】
判定帰還型の等化器（ＤＦＥ）における標準自動切換えモードとソフト自動切換えモードの一方を自動的に選択してデータ信号を受信する装置であって、
前記標準自動切換えモードが、
（ａ）ブラインド・モードと
（ｂ）標準判定指示モードと
の一方からなり、
前記ソフト自動切換えモードが
（ａ）ブラインド・モードと
（ｂ）ソフト判定指示モードと
の一方からなり、
前記等化器は、
（ａ）前記標準自動切換えモードを選択するための前記第１の値、あるいは
（ｂ）前記ソフト自動切換えモードを選択するための前記第２の値
の一方を呈する信号に応答するモード選択に基づいてデータ受信するための制御入力を有し、
前記等化器は、それぞれ等化器コンバージェンスと等化器非コンバージェンスを示す第１と第２のロック信号値を有するロック信号を供給するロック検出器を含み、
前記等化器には、モード選択用の選択信号を供給する装置を含み、
当該装置は、
前記第１と第２のロック信号値間に於ける前記ロック信号の遷移のレートをモニタし、
前記遷移の前記レートを前記遷移の閾値レートと比較して前記制御信号を供給し、
前記遷移の前記レートが前記閾値レートより小さいとき、前記制御信号が前記第１の制御値を呈するようにし、前記遷移の前記レートが前記閾値レートより小さくないとき、前記制御信号が前記第２の制御値を呈するようにし、
前記等化器は、前記標準自動切換えモードに在るとき、前記第１の制御値を呈する前記制御信号の発生のレートをモニタし、前記発生の前記レートを前記発生の閾値レートと比較し、もし前記発生の前記レートが前記発生の前記閾値レートより小さい場合、前記制御信号が前記第２の制御値を呈するようにして、前記ソフト自動切換えモードを選択し、もし前記発生の前記レートが前記発生の前記閾値レートより小さくない場合、前記標準自動切換えモードが選択されたままにし、
前記等化器は、前記ソフト自動切換えモードに在るとき、前記第１の制御値を呈する前記制御信号の発生のレートをモニタし、前記発生の前記レートを前記発生の前記閾値レートと比較し、もし前記発生の前記レートが前記発生の前記閾値レートより小さくない場合、前記制御信号が前記第１の制御値を呈するようにして、前記標準自動切換えモードを選択し、もし前記発生の前記レートが前記発生の前記閾値レートより小さい場合、前記ソフト自動切換えモードが選択されたままにする
ことを特徴とする装置。
【請求項２２】
判定帰還型の等化器（ＤＦＥ）に於いて、標準自動切換えモードとソフト自動切換えモードの一方を自動的に選択してデータ信号を受信する装置であって、
前記標準自動切換えモードは、ブラインド・モード或いは標準判定指示モードから成り、
前記ソフト自動切換えモードは、ブラインド・モード或いはソフト判定指示モードから成り、
前記装置が、
等化器コンバージェンスを示すロック信号の遷移をモニタする手段と、
前記遷移のレートを既定レートと比較する手段と、
前記遷移の前記レートが前記既定レートより小さいとき、前記標準自動切換えモードに対応する第１の制御値を呈し、前記遷移の前記レートが前記既定レートより小さくないとき、前記ソフト自動切換えモードに対応する第２の制御値を呈する制御信号を供給する手段と、
前記データ信号の所定数のシンボル周期分の期間の間、前記制御信号の前記第１の制御値の発生数を計数し、
前記等化器が第１のモードに在るとき、もし前記第１の制御値の前記発生数が所定の閾値計数値より小さい場合、前記ソフト自動切換えモードを選択し、そうでない場合、前記標準自動切換えモードを選択し、
前記等化器が第２のモードに在るとき、もし前記第１の制御値の前記発生数が前記所定の閾値計数値より小さくない場合、前記標準自動切換えモードを選択し、そうでない場合、前記ソフト自動切換えモードを選択する手段と、
を含むことを特徴とする装置。
【請求項２３】
判定帰還型の等化器（ＤＦＥ）に於いて、標準自動切換えモードとソフト自動切換えモードの一方を自動的に選択してデータ信号を受信する装置であって、
前記標準自動切換えモードは、ブラインド・モード或いは標準判定指示モードから成り、
前記ソフト自動切換えモードは、ブラインド・モード或いはソフト判定指示モードから成り、
前記装置が、
等化器コンバージェンスを示すロック信号の遷移をモニタする手段と、
前記遷移のレートを既定レートと比較する手段と、
前記遷移の前記レートが前記既定レートより小さいとき、前記標準自動切換えモードを選択するための第１の値を呈し、前記遷移の前記レートが前記既定レートより小さくないとき、前記ソフト自動切換えモードを選択するための第２の値を呈する選択信号を供給する手段と、
を含むことを特徴とする装置。
【請求項２４】
判定帰還型の等化器（ＤＦＥ）に於いて、標準判定指示モードとソフト判定指示モードの一方を自動的に選択して、データ信号を受信する装置であって、
コンバージェンスを示すロック信号の第１と第２の値の間での遷移のレートを特定する手段と、
前記遷移の前記レートを所定の閾値レートと比較する手段と、
前記遷移の前記レートが前記所定の閾値レートより小さいとき、第１の値を呈し、前記遷移の前記レートが前記所定の閾値レートより小さくないとき、第２の値を呈する第１の制御信号を供給する手段と、
前記第１の制御信号に基づいてモードを選択する手段と、
を含み、
前記第１の制御信号が前記第１の値を呈するとき、前記標準判定指示モードが選択され、また、前記第１の制御信号が前記第２の値を呈するとき、前記ソフト判定指示モードが選択されることを特徴とする装置。
【請求項２５】
前記第１の制御信号に基づいてモードを選択する前記手段は、
前記第１の制御信号の前記第１の値の発生のレートを特定して、第２の制御信号を供給する手段と、
前記第１の制御信号の前記第１の値の前記発生の前記レートを前記発生の所定の閾値レートと比較する手段と、
前記等化器が前記第１のモードに在るとき、前記第１の制御信号の前記第１の値の前記発生の前記レートが前記所定の閾値レートより小さくない場合、前記第２の制御信号が第１の所定の値を呈するようにし、その他の場合、前記第２の制御信号が第２の所定の値を呈するようにする手段と、
前記等化器が前記第２のモードに在るとき、前記第１の制御信号の前記第１の値の前記発生の前記レートが前記所定の閾値レートより小さくない場合、前記第２の制御信号が前記第２の所定の値を呈するようにし、その他の場合、前記第２の制御信号が前記第１の所定の値を呈するようにする手段と、
前記第２の制御信号に基づいて、前記モードを選択する手段と、
を含むことを特徴とする請求項２４記載の装置。
【請求項２６】
判定帰還型の等化器（ＤＦＥ）に於いて、標準自動切換えモードとソフト自動切換えモードの一方を自動的に選択してデータ信号を受信する方法であって、
等化器コンバージェンスを示すロック信号の遷移をモニタするステップと、
前記遷移のレートを既定レートと比較するステップと、
前記遷移の前記レートが前記既定レートより小さいとき、前記標準自動切換えモードを選択するための第１の値を呈し、前記遷移の前記レートが前記既定レートより小さくないとき、前記ソフト自動切換えモードを選択するための第２の値を呈する選択信号を供給するステップと、
を含むことを特徴とする方法。
【請求項２７】
判定帰還型の等化器（ＤＦＥ）に於いて、標準自動切換えモードとソフト自動切換えモードの一方を自動的に選択してデータ信号を受信する方法であって、
等化器コンバージェンスを示すロック信号の遷移をモニタするステップと、
前記遷移のレートを既定レートと比較するステップと、
前記遷移の前記レートが前記既定レートより小さい時に第１の値を呈し、前記遷移の前記レートが前記既定レートより小さくない時に第２の値を呈する選択信号を供給するステップと、
前記データ信号の所定数のシンボル周期分の期間の間、前記選択信号の前記第１の値の発生数を計数するステップと、
前記等化器が前記第１のモードに在るとき、前記第１の値の前記発生数が所定の閾値計数値より小さくない場合、前記標準自動切換えモードを選択し、その他の場合、前記ソフト自動切換えモードを選択するステップと、
前記等化器が前記第２のモードに在るとき、前記第１の値の前記発生数が前記所定の閾値計数値より小さくない場合、前記標準自動切換えモードを選択し、その他の場合、前記ソフト自動切換えモードを選択するステップと、
を含むことを特徴とする方法。
【請求項２８】
判定帰還型の等化器（ＤＦＥ）における標準自動切換えモードとソフト自動切換えモードの一方を自動的に選択してデータ信号を受信する方法であって、
コンバージェンスを示すロック信号の第１と第２の値の間での遷移のレートを特定するステップと、
前記遷移の前記レートを所定の閾値レートと比較するステップと、
前記遷移の前記レートが前記所定の閾値レートより小さいとき、第１の所定の値を呈し、前記遷移の前記レートが前記所定の閾値レートより小さくないとき、第２の所定の値を呈する第１の信号を供給するステップと、
前記第１の信号が前記第１の所定の値を呈するとき、前記標準自動切換えモードが選択されるようにし、前記第１の信号が前記第２の所定の値を呈するとき、前記ソフト自動切換えモードが選択されるように、前記第１の信号に基づいてモードを選択するステップと、
を含むことを特徴とする方法。
【請求項２９】
前記第１の信号に基づいて前記モードを選択するステップは、
前記第１の信号の前記第１の所定の値の発生レートを特定するステップと、
前記第１の信号の前記第１の所定の値の前記発生レートを所定の閾値レートと比較するステップと、
前記等化器が前記第１のモードに在り、前記第１の所定の値の前記発生レートが前記所定の閾値レートより小さくない場合、第２の信号が前記第１の所定の値を呈するようにし、その他の場合、前記第２の信号が前記第２の所定の値を呈するようにするステップと、
前記等化器が前記第２のモードに在り、前記第１の所定の値の前記発生レートが前記所定の閾値レートより小さくない場合、前記第２の信号が前記第１の所定の値を呈するようにし、その他の場合、前記第２の信号が前記第２の所定の値を呈するようにするステップと、
前記第２の信号に基づいて前記モードを選択するステップと、
を含むことを特徴とする請求項２８記載の方法。